(57)【要約】【課題】本発明は、着脱可能なユニットをバイパスする吸気ダクトを設けても、ユニットの占有スペースの減少を可及的に抑制することを目的とする。【解決手段】情報処理装置は、ユニットが挿抜されるスロットの奥に配置された発熱部品と、ユニットの前面の隅に設けられており、スロットに係合する係合機構を収める空間を内部に有する吸気口と、吸気口からユニットをバイパスして発熱部品に繋がるダクトと、を備える。【選択図】図３
2018151871.tif 000002
【特許請求の範囲】
【請求項１】
ユニットが挿抜されるスロットの奥に配置された発熱部品と、
前記ユニットの前面の隅に設けられており、前記スロットに係合する係合機構を収める空間を内部に有する吸気口と、
前記吸気口から前記ユニットをバイパスして前記発熱部品に繋がるダクトと、を備える、
情報処理装置。
【請求項２】
前記ダクトは、前記スロットを有する筐体に設けられている、
請求項１に記載の情報処理装置。
【請求項３】
前記スロットには、前記係合機構を収める空間と前記ダクトとを連通する開口が設けられている、
請求項１または２に記載の情報処理装置。
【請求項４】
前記係合機構は、操作用のレバーを有する、
請求項１から３の何れか一項に記載の情報処理装置。
【請求項５】
前記吸気口は、防火用のメッシュで覆われている、
請求項１から４の何れか一項に記載の情報処理装置。
【請求項６】
前記ユニットの前面には、前記ユニット用の吸気口が設けられている、
請求項１から５の何れか一項に記載の情報処理装置。
【発明の詳細な説明】
【技術分野】
【０００１】
本願は、情報処理装置に関する。
【背景技術】
【０００２】
情報処理装置には、各種の冷却機構が備わっている（例えば、特許文献１を参照）。
【先行技術文献】
【特許文献】
【０００３】
【特許文献１】特開２００８−２５１０６７号公報
【発明の概要】
【発明が解決しようとする課題】
【０００４】
情報処理装置には、高機能化や多機能化に対応するべく、１つの装置内に複数のユニットを着脱可能にした構造のものがある。このような構造の情報処理装置では、例えば、ユニットの着脱が行われる筐体の前面が吸気側とされ、筐体の後面が排気側とされる。
【０００５】
ところで、情報処理装置は、高性能化の一途を辿っており、内蔵される電子部品の発熱量も増大している。よって、情報処理装置内では、ＣＰＵ（Central Processing Unit）
やメモリといった集積回路のみならず、電源ユニットやその他の電子部品にも十分な量の冷気が供給されることが望ましい。しかし、ユニットの着脱が行われる筐体の前面が吸気側とされ、筐体の後面が排気側とされる情報処理装置においては、通常、着脱可能なユニットを通過した空気が筐体の後面へ流れる形態になるため、ユニットより下流側にある電子部品へ低温の冷却風は供給されない。そこで、ユニットの着脱が行われる筐体の前面が吸気側とされ、筐体の後面が排気側とされる情報処理装置においても、ユニットより下流側にある電子部品への低温の冷却風の供給を可能にするため、例えば、ユニットをバイパスする吸気ダクトを設けることが考えられる。ユニットをバイパスする吸気ダクトがあれば、ユニットより下流側にある電子部品へ低温の冷却風を供給することが可能になる。しかし、ユニットをバイパスする吸気ダクトを設けると、ユニットが占有できるスペースが減少する。したがって、ユニットをバイパスする吸気ダクトを設けた構造の情報処理装置においては、ユニットに搭載できる部品点数や大きさと、吸気ダクトを経由して提供できる冷却風の量がトレードオフとなる。
【０００６】
そこで、本発明は、着脱可能なユニットをバイパスする吸気ダクトを設けても、ユニットの占有スペースの減少を可及的に抑制することを目的とする。
【課題を解決するための手段】
【０００７】
１つの態様では、情報処理装置は、ユニットが挿抜されるスロットの奥に配置された発熱部品と、ユニットの前面の隅に設けられており、スロットに係合する係合機構を収める空間を内部に有する吸気口と、吸気口からユニットをバイパスして発熱部品に繋がるダクトと、を備える。
【発明の効果】
【０００８】
１つの側面として、着脱可能なユニットをバイパスする吸気ダクトを設けても、ユニットの占有スペースの減少を可及的に抑制することができる。
【図面の簡単な説明】
【０００９】
【図１】図１は、実施形態に係る情報処理装置を前面側から示した図である。
【図２】図２は、実施形態に係る情報処理装置の内部構造を示した図である。
【図３】図３は、情報処理装置内の冷却風の流れを示した図である。
【図４】図４は、実施例に係る情報処理装置を示した斜視図である。
【図５】図５は、実施例に係る情報処理装置の前面を示した外観図である。
【図６】図６は、実施例に係る情報処理装置の内部構造を上面側から示した図である。
【図７】図７は、情報処理装置の前面を簡略化した外観図である。
【図８】図８は、情報処理装置の内部構造を簡略化して上面側から示した図である。
【図９】図９は、情報処理装置内の冷却風の流れを示した図である。
【図１０】図１０は、前面側ユニットの斜視図である。
【図１１】図１１は、前面側ユニットの前面を示した図である。
【図１２】図１２は、パンチングメタルに割り当てられている吸気口領域の割り当てを示した図である。
【図１３】図１３は、電源ユニット専用吸気口の内部構造を示した第１の図である。
【図１４】図１４は、電源ユニット専用吸気口の内部構造を示した第２の図である。
【図１５】図１５は、前面側ユニットの前面部分における冷却風の流れを示した図である。
【図１６】図１６は、筐体の筐体側面側吸気口付近を、スロット内が見えるように示した図である。
【図１７】図１７は、係合機構を示した図である。
【図１８】図１８は、係合機構と突起との係合状態を示した図である。
【図１９】図１９は、電源ユニット専用吸気ダクトへ流れる冷却風の流れを示した図である。
【図２０】図２０は、イジェクトレバーの動作を示した図である。
【図２１】図２１は、第１の比較例に係る情報処理装置内の冷却風の流れを示した図である。
【図２２】図２２は、第２の比較例に係る情報処理装置内の冷却風の流れを示した図である。
【図２３】図２３は、実施例の電源ユニット専用吸気口と筐体側面側吸気口が形成する吸気口とその下流側の流路を模した図である。
【図２４】図２４は、前面側ユニットの変形例を示した図である。
【図２５】図２５は、電子部品格納空間内に実装するモジュールを交換する様子を示した図である。
【図２６】図２６は、筐体側面側吸気口の変形例を示した図である。
【図２７】図２７は、変形例に係る筐体側面側吸気口を設けた情報処理装置内の冷却風の流れを示した図である。
【発明を実施するための形態】
【００１０】
以下、実施形態について説明する。以下に示す実施形態は、単なる例示であり、本開示の技術的範囲を以下の態様に限定するものではない。
【００１１】
図１は、実施形態に係る情報処理装置を前面側から示した図である。また、図２は、実施形態に係る情報処理装置の内部構造を示した図である。情報処理装置１は、高機能化や多機能化に対応するべく、ユーザの要求する仕様に応じて選定される様々な前面側ユニット２を抜き差し可能な装置である。すなわち、情報処理装置１は、前面側ユニット２が挿抜される複数のスロット４を有する筐体３を備える。また、スロット４の奥には、前面側ユニット２の端子が嵌合するミッドプレーン１０や、前面側ユニット２に電力を供給する電源ユニット１２（本願でいう「発熱部品」の一例である）、前面側ユニット２と共に各種の演算処理を司る後面側ユニット１３が配置されている。
【００１２】
前面側ユニット２は、ＣＰＵ（Central Processing Unit）やＲＯＭ（Read Only Memory）等の集積回路、ＤＩＭＭ（Dual Inline Memory Module）、ＨＤＤ（Hard Disk Drive
）、ＳＳＤ（Solid State Drive）、ＰＣＩ（Peripheral Component Interconnect）カード等の電子部品を実装したユニットである。前面側ユニット２には、筐体３のスロット４内に設けられた突起（ブロック）に係合する係合機構１４が前面側ユニット２の前面側の両隅に設けられている。係合機構１４は、係合機構格納空間１５の中に収まっている。係合機構１４には、係合機構格納空間１５から前面側ユニット２の前方へ突き出るイジェクトレバー８が設けられており、作業者に操作されるイジェクトレバー８の動きに連動するようになっている。係合機構格納空間１５は、前面側ユニット２の内部空間を仕切る板状の仕切り１６により、前面側ユニット２内の大部分を占める電子部品格納空間１７から仕切られた空間である。
【００１３】
筐体３の内部には、前面側ユニット２の着脱が行われる筐体３の前面が吸気側となり、筐体３の後面が排気側となるようにファンユニット１１が設けられている。そして、前面側ユニット２の前面には、前面側ユニット用吸気口５がほぼ全域に渡って設けられている。また、前面側ユニット２の前面の隅、換言すると、係合機構格納空間１５に対応する部位には、電源ユニット専用吸気口６が設けられている。電源ユニット専用吸気口６は、係合機構格納空間１５に対応する部位にあるため、前面側から見ると係合機構１４を内部に有する形態となっている。また、筐体３の前面のスロット４の両側部分にも筐体側面側吸気口７が設けられている。そして、筐体３のスロット４の両側部分には、スロット４に挿抜される前面側ユニット２の挿抜方向沿いに延在する電源ユニット専用吸気ダクト９が設けられている。筐体側面側吸気口７は、電源ユニット専用吸気ダクト９の上流側に位置する。前面側ユニット用吸気口５や電源ユニット専用吸気口６、筐体側面側吸気口７は、情報処理装置１に要求されるＩＥＣ(International Electrotechnical Commission) 等の諸規格に適合させるために防火用のメッシュ（例えば、パンチングメタル等）で覆われている。
【００１４】
このような前面側ユニット２においては、係合機構１４をスロット４内の突起に係合させる都合上、係合機構１４が収まっている係合機構格納空間１５は、電源ユニット専用吸気ダクト９側が仕切られていない。すなわち、係合機構格納空間１５は、電源ユニット専用吸気ダクト９側が開放されている。したがって、情報処理装置１においては、以下のような冷却風の流れが形成される。
【００１５】
図３は、情報処理装置１内の冷却風の流れを示した図である。スロット４の奥に設けられたファンユニット１１が作動すると、前面側ユニット用吸気口５から空気が吸い込まれて電子部品格納空間１７を通過し、後面側ユニット１３を通って筐体３の後面から排気される。また、電源ユニット１２が有するファンの作動によって筐体側面側吸気口７から吸い込まれた空気は、電源ユニット専用吸気口６から吸い込まれて係合機構格納空間１５を通過した空気と電源ユニット専用吸気ダクト９で合流し、電源ユニット１２へ流れる。すなわち、電源ユニット専用吸気口６および筐体側面側吸気口７から吸い込まれた空気は、前面側ユニット２をバイパスし、電源ユニット１２へ直接流れる。よって、電源ユニット１２には、電子部品格納空間１７を通過した空気よりも低温の新鮮な空気（フレッシュエアー）が流れることになる。
【００１６】
また、筐体側面側吸気口７には防火用のメッシュが設けられているため、筐体側面側吸気口７の有効な吸気口面積は電源ユニット専用吸気ダクト９の流路の断面積より小さいが、電源ユニット専用吸気ダクト９の吸気口として機能する部位は筐体側面側吸気口７の他に電源ユニット専用吸気口６があるため、本実施形態の情報処理装置１では、電源ユニット専用吸気ダクト９の流路の断面積と同等の吸気口面積が筐体側面側吸気口７と電源ユニット専用吸気口６で確保されている。よって、電源ユニット１２には、電源ユニット専用
吸気ダクト９の流路の断面積から算出される量の空気が冷却風として供給されることになる。
【００１７】
したがって、情報処理装置１では、前面側ユニット２を通過した空気で電源ユニット１２を冷却する場合に比べて、より大容量の電源ユニット１２を採用することが可能となる。以下、情報処理装置１の一例に相当する実施例を用意し、情報処理装置１の効果を検証したので、その検証結果を以下に示す。
【００１８】
＜実施例＞
図４は、実施例に係る情報処理装置を示した斜視図である。また、図５は、実施例に係る情報処理装置１Ａの前面を示した外観図である。また、図６は、実施例に係る情報処理装置１Ａの内部構造を上面側から示した図である。情報処理装置１Ａは、前面側ユニット２Ａを抜き差し可能な装置であり、前面側ユニット２Ａが挿抜される複数のスロット４Ａを有する筐体３Ａを備える。
【００１９】
図７は、情報処理装置１Ａの前面を簡略化した外観図である。また、図８は、情報処理装置１Ａの内部構造を簡略化して上面側から示した図である。スロット４Ａの奥には、前面側ユニット２Ａの端子が嵌合するミッドプレーン１０Ａや、前面側ユニット２Ａに電力を供給する電源ユニット１２Ａ、前面側ユニット２Ａと共に各種の演算処理を司る後面側ユニット１３Ａ、前面側ユニット２Ａや後面側ユニット１３Ａを冷却するための冷却風を発生させるファンユニット１１Ａが配置されている。
【００２０】
前面側ユニット２Ａには、筐体３Ａのスロット４Ａ内に設けられた突起に係合する係合機構１４Ａが前面側ユニット２Ａの前面側の両隅に設けられている。係合機構１４Ａは、係合機構格納空間１５Ａの中に収まっている。係合機構１４Ａには、係合機構格納空間１５Ａから前面側ユニット２Ａの前方へ突き出るイジェクトレバー８Ａが設けられている。係合機構格納空間１５Ａは、仕切り１６Ａによって電子部品格納空間１７Ａから仕切られている。
【００２１】
また、前面側ユニット２Ａの前面には、前面側ユニット２と同様、前面側ユニット用吸気口５Ａや電源ユニット専用吸気口６Ａが設けられている。また、筐体３Ａの前面のスロット４Ａの両側部分にも筐体側面側吸気口７Ａが設けられている。そして、前面側ユニット２Ａの内部には電源ユニット専用吸気ダクト９Ａが設けられている。
【００２２】
図９は、情報処理装置１Ａ内の冷却風の流れを示した図である。スロット４Ａの奥に設けられたファンユニット１１Ａが作動すると、前面側ユニット用吸気口５Ａから空気が吸い込まれて電子部品格納空間１７Ａを通過し、後面側ユニット１３Ａを通って筐体３Ａの後面から排気される。また、電源ユニット１２Ａが有するファンの作動によって筐体側面側吸気口７Ａから吸い込まれた空気は、電源ユニット専用吸気口６Ａから吸い込まれて係合機構格納空間１５Ａを通過した空気と電源ユニット専用吸気ダクト９Ａで合流し、電源ユニット１２Ａへ流れる。すなわち、電源ユニット専用吸気口６Ａおよび筐体側面側吸気口７Ａから吸い込まれた空気は、前面側ユニット２Ａをバイパスし、電源ユニット１２Ａへ直接流れる。よって、電源ユニット１２Ａには、電子部品格納空間１７Ａを通過した空気よりも低温の新鮮な空気（フレッシュエアー）が流れることになる。
【００２３】
図１０は、前面側ユニット２Ａの斜視図である。また、図１１は、前面側ユニット２Ａの前面を示した図である。前面側ユニット２Ａは、図１０や図１１に示すように、前面がパンチングメタル１８Ａ（本願でいう「防火用のメッシュ」の一例である）で覆われている。パンチングメタル１８Ａは、ＩＥＣの規格に適合させるために設けられる部材であり、通気性能と防火性能を発揮する微細な細孔（５ｍｍ以下の大きさの孔）が縦横に並ぶ金
属製の板である。そして、パンチングメタル１８Ａの開口率は、細孔の形状や大きさにもよるが、最大でも約５０％程度である。よって、このようなパンチングメタル１８Ａが冷却風の吸気口を覆う場合、パンチングメタル１８Ａが省略されている場合に比べると、有効な吸気口面積を著しく減少させることになる。したがって、このようなパンチングメタル１８Ａと同様のパンチングメタルで覆われている筐体側面側吸気口７Ａの吸気口面積の不足を補うため、本実施例の情報処理装置１Ａでは、電源ユニット専用吸気口６Ａを設けることで、電源ユニット専用吸気ダクト９Ａにおける冷却風の風量を最大限確保している。
【００２４】
図１２は、パンチングメタル１８Ａに割り当てられている吸気口領域の割り当てを示した図である。本実施例の情報処理装置１Ａでは、筐体側面側吸気口７Ａがパンチングメタル１８Ａと同様のパンチングメタルで覆われており、筐体側面側吸気口７Ａの有効な吸気口面積は電源ユニット専用吸気ダクト９Ａの流路の断面積より小さいが、電源ユニット専用吸気ダクト９Ａの吸気口として機能する部位は筐体側面側吸気口７Ａの他に電源ユニット専用吸気口６Ａがあるため、情報処理装置１Ａでは、電源ユニット専用吸気ダクト９の流路の断面積と同等の吸気口面積が筐体側面側吸気口７Ａと電源ユニット専用吸気口６Ａで確保されている。
【００２５】
図１３は、電源ユニット専用吸気口６Ａの内部構造を示した第１の図である。また、図１４は、電源ユニット専用吸気口６Ａの内部構造を示した第２の図である。電源ユニット専用吸気口６Ａの内部は、仕切り１６Ａによって電子部品格納空間１７Ａ側から仕切られている。そして、スロット４Ａ内の突起に係合する係合機構１４Ａと当該突起との係合部分を設けるために用意されている前面側ユニット２Ａ側面の開口が、電源ユニット専用吸気口６Ａから電源ユニット専用吸気ダクト９Ａへ通じる流路を形成する。
【００２６】
図１５は、前面側ユニット２Ａの前面部分における冷却風の流れを示した図である。前面側ユニット用吸気口５Ａを通過した冷却風は、電子部品格納空間１７Ａ内を通過する。一方、電源ユニット専用吸気口６Ａを通過した冷却風は係合機構格納空間１５Ａ内を通って前面側ユニット２Ａ側面の開口から流出する。
【００２７】
図１６は、筐体３Ａの筐体側面側吸気口７Ａ付近を、スロット４Ａ内が見えるように示した図である。スロット４Ａの開口部付近には、前面側ユニット２Ａの係合機構１４Ａが係合する突起１９Ａが設けられている。そして、突起１９Ａの付近には、電源ユニット専用吸気ダクト９Ａへ通じるスロット内開口２０Ａが設けられている。スロット内開口２０Ａは、係合機構１４Ａと突起１９Ａとの係合部分を設けるために前面側ユニット２Ａ側面に用意されている開口に対応する部分（図１６において破線で示す部分）に配置されている。よって、前面側ユニット２Ａがスロット４Ａに差し込まれると、係合機構格納空間１５Ａが電源ユニット専用吸気口６Ａに連通した状態となる。したがって、電源ユニット専用吸気口６Ａを通過して係合機構格納空間１５Ａ内を通り、前面側ユニット２Ａ側面の開口から流出した冷却風は、スロット内開口２０Ａを通って電源ユニット専用吸気ダクト９Ａ内へ流入可能となる。
【００２８】
図１７は、係合機構１４Ａを示した図である。係合機構１４Ａは、前面側ユニット２Ａに固定されている回転軸が挿通される孔１４Ａ１を有するシャフト１４Ａ２の外周面から、ユニット挿入用爪１４Ａ３とユニット抜去用爪１４Ａ４が突出する形態を有している。また、係合機構１４Ａは、シャフト１４Ａ２の下端に設けられたイジェクトレバー８Ａが操作されることにより、孔１４Ａ１に挿通される回転軸を中心に回動可能である。係合機構１４Ａやイジェクトレバー８Ａは、冷却風の流路の妨げとならないような位置、形状および大きさであることが好ましい。例えば、係合機構１４Ａは、冷却風の流路の妨げとならないよう、スロット内開口２０Ａよりも奥側に配置されることが好ましい。また、例え
ば、イジェクトレバー８Ａは、冷却風の流路の妨げとならないよう、冷却風の流れを妨げない薄い板で形成されることが好ましい。
【００２９】
図１８は、係合機構１４Ａと突起１９Ａとの係合状態を示した図である。前面側ユニット２Ａがスロット４Ａに差し込まれた状態でイジェクトレバー８Ａが前面側ユニット２Ａ側に押し込まれると、ユニット挿入用爪１４Ａ３が突起１９Ａに接触し、前面側ユニット２Ａがスロット４Ａ内に固定された状態になる。図１８を見ると判るように、スロット内開口２０Ａは、突起１９Ａの上側と下側に設けられているため、係合機構１４Ａが突起１９Ａに係合している状態であっても、係合機構格納空間１５Ａ内を通過する冷却風の流路は確保されている。
【００３０】
図１９は、電源ユニット専用吸気ダクト９Ａへ流れる冷却風の流れを示した図である。係合機構格納空間１５Ａ内にある係合機構１４Ａが上記のように形成されているため、電源ユニット専用吸気口６Ａから係合機構格納空間１５Ａ内に流入した冷却風は、係合機構格納空間１５Ａから流出してスロット内開口２０Ａを通り、電源ユニット専用吸気ダクト９Ａへ流れる。よって、電源ユニット専用吸気ダクト９Ａでは、筐体側面側吸気口７Ａを通過した冷却風に、電源ユニット専用吸気口６Ａを通過した冷却風が合流することになる。したがって、本実施例に係る情報処理装置１Ａでは、電源ユニット１２Ａを冷却する十分な量の冷却風が電源ユニット専用吸気ダクト９Ａを通過することになり、電源ユニット１２Ａが効果的に冷却される。
【００３１】
なお、前面側ユニット２Ａの引抜は、以下のように行われる。図２０は、イジェクトレバー８Ａの動作を示した図である。例えば、前面側ユニット２Ａがスロット４Ａから引き抜かれる場合、イジェクトレバー８Ａは、前面側ユニット２Ａの前方へ引き出される。イジェクトレバー８Ａが前面側ユニット２Ａの前方へ引き出されると、ユニット抜去用爪１４Ａ４が突起１９Ａに接触する。そして、イジェクトレバー８Ａの先端を力点、ユニット抜去用爪１４Ａ４と突起１９Ａとの接触部分を支点、孔１４Ａ１に挿通されている回転軸を作用点とするテコの原理により、前面側ユニット２Ａが手前側に押し出される。
【００３２】
情報処理装置１の効果を検証するために用意した実施例の説明は以上の通りである。次に、検証用に用意した比較例について説明する。
【００３３】
＜第１比較例＞
図２１は、第１の比較例に係る情報処理装置内の冷却風の流れを示した図である。情報処理装置１０１は、情報処理装置１や情報処理装置１Ａと同様、前面側ユニット１０２を抜き差し可能な装置である。すなわち、情報処理装置１０１は、前面側ユニット１０２が挿抜される複数のスロット１０４を有する筐体１０３を備える。また、スロット１０４の奥には、前面側ユニット１０２の端子が嵌合するミッドプレーン１１０や、前面側ユニット１０２に電力を供給する電源ユニット１１２、前面側ユニット１０２と共に各種の演算処理を司る後面側ユニット１１３が配置されている。
【００３４】
情報処理装置１０１では、スロット１０４の奥に設けられたファンユニット１１１が作動すると、吸気口１０５から空気が吸い込まれて電子部品格納空間１１７を通過し、後面側ユニット１１３や電源ユニット１１２を通って筐体１０３の後面から排気される。すなわち、電源ユニット１１２には、電子部品格納空間１１７を通過する際に昇温した空気が流れることになる。
【００３５】
＜第２比較例＞
図２２は、第２の比較例に係る情報処理装置内の冷却風の流れを示した図である。情報処理装置２０１は、情報処理装置１や情報処理装置１Ａと同様、前面側ユニット２０２を
抜き差し可能な装置である。すなわち、情報処理装置２０１は、前面側ユニット２０２が挿抜される複数のスロット２０４を有する筐体２０３を備える。また、スロット２０４の奥には、前面側ユニット２０２の端子が嵌合するミッドプレーン２１０や、前面側ユニット２０２に電力を供給する電源ユニット２１２、前面側ユニット２０２と共に各種の演算処理を司る後面側ユニット２１３が配置されている。そして、筐体２０３の内部のスロット２０４の両側部分には、スロット２０４に挿抜される前面側ユニット２０２の挿抜方向沿いに延在する電源ユニット専用吸気ダクト２０９が設けられている。電源ユニット専用吸気ダクト２０９の上流側で開口部を形成する筐体側面側吸気口２０７や、電子部品格納空間２１７に流入する冷却風の吸気口を形成する前面側ユニット用吸気口２０５は、情報処理装置２０１に要求されるＩＥＣ等の諸規格に適合させるために防火用のメッシュで覆われている。
【００３６】
情報処理装置２０１では、スロット２０４の奥に設けられたファンユニット２１１が作動すると、前面側ユニット用吸気口２０５から空気が吸い込まれて電子部品格納空間２１７を通過し、後面側ユニット２１３を通って筐体２０３の後面から排気される。また、電源ユニット２１２が有するファンの作動によって筐体側面側吸気口２０７から吸い込まれた空気は、電源ユニット専用吸気ダクト２０９を通って電源ユニット２１２へ流れる。すなわち、筐体側面側吸気口２０７から吸い込まれた空気は、前面側ユニット２０２をバイパスし、電源ユニット２１２へ直接流れる。よって、電源ユニット２１２には、電子部品格納空間２１７を通過した空気よりも低温の新鮮な空気（フレッシュエアー）が流れることになる。しかし、筐体側面側吸気口２０７は防火用のメッシュで覆われているため、電源ユニット専用吸気ダクト２０９には、電源ユニット専用吸気ダクト２０９の流路の断面積に見合う量の冷却風が流れない。
【００３７】
図２３は、実施例の電源ユニット専用吸気口６Ａと筐体側面側吸気口７Ａが形成する吸気口とその下流側の流路を模した図である。例えば、図２３に示すように、電源ユニット専用の吸気ダクト（電源ユニット専用吸気ダクト９，９Ａ，２０９に相当）の断面積が１６１０ｍｍ２であるとする。また、吸気口を覆うメッシュ（パンチングメタル）の開口率が２８％であるとする。ここで、吸気ダクトの吸気口が、例えば、情報処理装置２０１のように、吸気ダクトの断面積とほぼ同じ大きさの筐体側面側吸気口２０７のみで形成されている場合、筐体側面側吸気口２０７の有効な吸気口面積は４６０ｍｍ２となる。一方、吸気ダクトの吸気口が、情報処理装置１Ａのように、筐体側面側吸気口７Ａの他に４つの電源ユニット専用吸気口６Ａで形成されている場合、吸気ダクトの有効な吸気口面積を例えば１６１０ｍｍ２と、情報処理装置２０１の約３．５倍にすることができる。開口面積と開口率の比較結果をまとめた表を以下に示す。
【表１】
2018151871.tif 000003
【００３８】
上記比較から判るように、本実施形態の情報処理装置１や実施例の情報処理装置１Ａであれば、ＩＥＣ等の諸規格を満たす仕様とするべく、開口部をメッシュで覆うことになる場合であっても、電源ユニット専用吸気ダクト９，９Ａの断面積と同等の有効な吸気口面積を確保することが可能である。すなわち、筐体のスロットに挿抜されるユニット形式の構造に通常備わる係合機構用のスペース（当該スペースは、冷却風の流路の観点だと「デッドスペース」と捉えることができる）を有効活用することにより、スロット４，４Ａの
幅を拡大させたり、或いは、前面側ユニット２，２Ａに用意されている電子部品用の実装面積を縮小させたりすることなく、電源ユニット１２，１２Ａの冷却効率を上げることが可能であり、電源ユニット１２，１２Ａの更なる大容量化に適応可能である。
【００３９】
なお、本実施形態の情報処理装置１や実施例の情報処理装置１Ａで用いられている前面側ユニット２，２Ａは、例えば、複数のモジュールを電子部品格納空間１７，１７Ａに実装するタイプであってもよい。図２４は、前面側ユニット２，２Ａの変形例を示した図である。前面側ユニット２，２Ａは、例えば、図２４に示すように、天板を外した状態で、電子部品格納空間１７，１７Ａ内に実装するモジュールを着脱可能なタイプのものであってもよい。
【００４０】
図２５は、電子部品格納空間１７，１７Ａ内に実装するモジュールを交換する様子を示した図である。前面側ユニット２，２Ａが、電子部品格納空間１７，１７Ａ内に実装するモジュールを着脱可能なタイプであれば、用途に応じてモジュールを適宜交換することができる。
【００４１】
ところで、本実施形態の情報処理装置１や実施例の情報処理装置１Ａが備える筐体側面側吸気口７，７Ａは、例えば、以下のように変形してもよい。図２６は、筐体側面側吸気口７，７Ａの変形例を示した図である。図２６に示す筐体側面側吸気口７Ｂは、筐体３，３Ａの前面側のみならず、筐体３，３Ａの左側面や右側面側にも開口部がある。よって、本変形例の筐体側面側吸気口７Ｂであれば、筐体側面側吸気口７，７Ａより大きな吸気口面積を確保することができる。なお、本変形例の筐体側面側吸気口７Ｂは、筐体３，３Ａの前面が、左右両端に設けられている固定用金具２１よりも手前に突き出ており、情報処理装置１，１Ａが固定用金具２１でマウントアングルに固定された状態であっても筐体３，３Ａの左側面と右側面がマウントアングルより手前にやや露出する形態の筐体３，３Ａに適用可能である。
【００４２】
図２７は、変形例に係る筐体側面側吸気口７Ｂを設けた情報処理装置１Ａ内の冷却風の流れを示した図である。電源ユニット１２Ａが有するファンが作動すると、筐体側面側吸気口７Ｂでは、筐体３の前面側からのみならず、筐体３の左右両側面側からも空気が流入する。よって、電源ユニット専用吸気ダクト９Ａには、筐体側面側吸気口７Ａが設けられている場合よりも多くの量の冷却風が流れる。
【００４３】
なお、情報処理装置１，１Ａではスロット４，４Ａの両側に電源ユニット専用吸気ダクト９，９Ａが設けられていたが、電源ユニット専用吸気ダクト９，９Ａは、スロット４，４Ａの片側に設けられていてもよい。
【００４４】
また、電源ユニット専用吸気口６，６Ａの中の係合機構格納空間１５，１５Ａには、イジェクトレバー８，８Ａで動く係合機構１４，１４Ａが収められているが、電源ユニット専用吸気口６，６Ａの中の係合機構はレバーを有するものに限定されない。電源ユニット専用吸気口６，６Ａの中には、レバーを有しない各種の係合機構が収められていてもよい。
【００４５】
また、情報処理装置１，１Ａでは、電源ユニット専用吸気ダクト９，９Ａが電源ユニット１２，１２Ａ用の冷却風のダクトとして用いられているが、電源ユニット専用吸気ダクト９，９Ａを通過する冷却風は、電源ユニット１２，１２Ａ以外の発熱部品の冷却に用いられてもよい。電源ユニット１２，１２Ａ以外の発熱部品としては、例えば、ＬＳＩ（Large-Scale Integration）や高発熱部品を実装したユニット、環境温度条件の厳しい部品
を実装したユニットが挙げられる。
【符号の説明】
【００４６】
１，１Ａ，１０１，２０１・・情報処理装置
２，２Ａ，１０２，２０２・・前面側ユニット
３，３Ａ，１０３，２０３・・筐体
４，４Ａ，１０４，２０４・・スロット
５，５Ａ，２０５・・前面側ユニット用吸気口
１０５・・吸気口
６，６Ａ・・電源ユニット専用吸気口
７，７Ａ，７Ｂ，２０７・・筐体側面側吸気口
８，８Ａ・・イジェクトレバー
９，９Ａ，２０９・・電源ユニット専用吸気ダクト
１０，１０Ａ，１１０，２１０・・ミッドプレーン
１１，１１Ａ，１１１，２１１・・ファンユニット
１２，１２Ａ，１１２，２１２・・電源ユニット
１３，１３Ａ，１１３，２１３・・後面側ユニット
１４，１４Ａ・・係合機構
１４Ａ１・・孔
１４Ａ２・・シャフト
１４Ａ３・・ユニット挿入用爪
１４Ａ４・・ユニット抜去用爪
１５，１５Ａ・・係合機構格納空間
１６，１６Ａ・・仕切り
１７，１７Ａ，１１７，２１７・・電子部品格納空間
１８Ａ・・パンチングメタル
１９Ａ・・突起
２０Ａ・・スロット内開口
２１・・固定用金具
【図１】
2018151871.tif 000004
【図２】
2018151871.tif 000005
【図３】
2018151871.tif 000006
【図４】
2018151871.tif 000007
【図５】
2018151871.tif 000008
【図６】
2018151871.tif 000009
【図７】
2018151871.tif 000010
【図８】
2018151871.tif 000011
【図９】
2018151871.tif 000012
【図１０】
2018151871.tif 000013
【図１１】
2018151871.tif 000014
【図１２】
2018151871.tif 000015
【図１３】
2018151871.tif 000016
【図１４】
2018151871.tif 000017
【図１５】
2018151871.tif 000018
【図１６】
2018151871.tif 000019
【図１７】
2018151871.tif 000020
【図１８】
2018151871.tif 000021
【図１９】
2018151871.tif 000022
【図２０】
2018151871.tif 000023
【図２１】
2018151871.tif 000024
【図２２】
2018151871.tif 000025
【図２３】
2018151871.tif 000026
【図２４】
2018151871.tif 000027
【図２５】
2018151871.tif 000028
【図２６】
2018151871.tif 000029
【図２７】
2018151871.tif 000030